(57)【要約】【課題】主バルブに直流が通電しても遮断ミスの発生を確実に回避でき、優れた絶縁性能と、安定した遮断能力を発揮することが可能な負荷時タップ切換装置を提供する。【解決手段】切換動作前に通電しているタップ２側の抵抗用バルブＷ１が閉極、切換動作前に通電していないタップ３側の抵抗用バルブＷ２が開極の状態で、主バルブＨが開極する。そして、主バルブＨが開極し、且つ切換動作前に通電しているタップ２側の抵抗用バルブＷ１が閉極、切換動作前に通電していないタップ３側の抵抗用バルブＷ２が開極の状態で、タップ３側の抵抗用バルブＷ２が閉極する。その後、切換スイッチＳの可動接点ＳＣが動作を開始し、切換動作前に接触していた固定接点ＳＡとの電気的接続を開離するように構成している。【選択図】図１
2009290005.tif 000002
【特許請求の範囲】
【請求項１】
タップ巻線のタップと中性点との間に、タップ巻線のタップを選択するタップ選択器と、通電状態の切換を行う切換スイッチとを設置し、前記タップ選択器には２個の可動接触子を設け、前記切換スイッチには複数の固定接点と、これら複数の固定接点のうちの一つと選択的に接離自在な可動接点とを設け、前記タップ選択器の各可動接触子と中性点との間には限流抵抗と抵抗用バルブを直列に接続し、前記限流抵抗と前記タップ選択器の可動接触子との間には前記切換スイッチの複数の固定接点を設け、前記切換スイッチの可動接点と中性点との間には主バルブを接続した２抵抗３バルブ方式の負荷時タップ切換装置であって、切換動作前に通電している通電タップ側に接続された前記抵抗用バルブが閉極状態、切換動作前に通電していない非通電タップ側に接続された前記抵抗用バルブが開極状態にあるとき、まず前記主バルブが開極し、該主バルブの開極後、非通電タップ側の前記抵抗用バルブが閉極し、続いて通電タップ側の前記抵抗用バルブが開極し、その後、前記主バルブが閉極するように構成した負荷時タップ切換装置において、
切換動作前に通電していない非通電タップ側の前記抵抗用バルブが閉極してから、前記切換スイッチの可動接点が、切換動作前に接触していた固定接点との電気的接続を開離するように構成したことを特徴とする負荷時タップ切換装置。
【請求項２】
切換動作前に通電していない非通電タップ側の前記抵抗用バルブが閉極してから、前記切換スイッチの可動接点が切換動作前に接触していた固定接点との電気的接続を開離するまでの時間を、通電する交流電源の１／２サイクル以上としたことを特徴とする請求項１に記載の負荷時タップ切換装置。 
【発明の詳細な説明】
【技術分野】
【０００１】
本発明は、２抵抗３バルブ方式の負荷時タップ切換装置に係り、特に、主バルブに直流が通電した場合でも安定した遮断能力を発揮できる負荷時タップ切換装置に関するものである。
【背景技術】
【０００２】
一般に、送配電系統に接続される変圧器には、切換開閉器とタップ選択器からなる負荷時タップ切換装置が設置されている。切換開閉器には通常、遮断要素として真空容器内に互いに接離可能な一対の電極を配置した真空バルブが使用されており、負荷時タップ切換装置としては、１相あたり２個の限流抵抗と３個の真空バルブを有する２抵抗３バルブ方式が広く知られている。このような負荷時タップ切換装置は、送配電系統の電圧を調整し安定化させるために不可欠な構成要素であり、様々な技術が提案されている（例えば、特許文献１）。
【０００３】
ここで、特許文献１記載の２抵抗３バルブ方式の負荷時タップ切換装置について、図４及び図５を参照して、具体的に説明する。図４は従来の負荷時タップ切換装置における切換回路とその動作図である。なお、図４の符号のうち、ＴＷは変圧器などのタップ巻線、２、３はタップ巻線ＴＷのタップ、Ｎは中性点、ＵＳはタップ間ステップ電圧を示している。
【０００４】
また、図５の（１）、（２）は負荷時タップ切換装置における切換シーケンスを示すもので、主バルブＨ、抵抗用バルブＷ１、Ｗ２、切換スイッチＳの固定接点ＳＡ、ＳＢにおいて、接点の開閉状態を表しており、上段が閉極（ＯＮ）、下段が開極した非接触（ＯＦＦ）を示している。図５の（Ａ）〜（Ｇ）は、図４における（Ａ）〜（Ｇ）で示した切換過程と対応している。
【０００５】
図４に示すように、負荷時タップ切換装置には、２個の可動接触子Ｍ１、Ｍ２を有するタップ選択器と、通電状態の切換を行う切換スイッチＳとが設置されている。切換スイッチＳは、２つの固定接点ＳＡ、ＳＢと、これら固定接点ＳＡ、ＳＢのいずれか一方と選択的に接離自在な可動接点ＳＣとから構成される。
【０００６】
タップ巻線ＴＷのタップ２、３と中性点Ｎの間には、可動接触子Ｍ１に対して限流抵抗Ｒ１と抵抗用バルブＷ１が直列に接続され、可動接触子Ｍ２に対して限流抵抗Ｒ２と抵抗バルブＷ２が直列に接続されている。可動接触子Ｍ１と限流抵抗Ｒ１の中間部には切換スイッチＳの固定接点ＳＡが設けられ、可動接触子Ｍ２と限流抵抗Ｒ２の中間部には切換スイッチＳの固定接点ＳＢが設けられている。これら固定接点ＳＡ、ＳＢに近接して可動接点ＳＣが設置され、さらに、切換スイッチＳの可動接点ＳＣと中性点Ｎの間に主バルブＨが接続されている。なお、主バルブＨ、抵抗用バルブＷ１、Ｗ２は、いずれも真空バルブからなる。
【０００７】
以上のような構成を有する負荷時タップ切換装置の切換シーケンスの各過程について、順を追って説明する。
（Ａ）運転状態（図４、図５の（Ａ））
図４、図５の（Ａ）では、主バルブＨおよび抵抗用バルブＷ１は閉極し、切換スイッチＳの可動接点ＳＣが固定接点ＳＡに接続され、タップ選択器の可動接触子Ｍ１がタップ巻線ＴＷのタップ２に接続された運転状態を示している。このとき、負荷電流ＩＬは、点線のように中性点Ｎから主バルブＨ、切換スイッチＳの可動接触子ＳＣ、固定接点ＳＡ、可動接触子Ｍ１、タップ２、タップ巻線ＴＷという回路に流れる。
【０００８】
（Ｂ）主バルブＨの開極（図４、図５の（Ｂ））
上記（Ａ）の状態から切換動作が開始すると、まず主バルブＨが開く。これにより、負荷電流ＩＬは、点線のように抵抗用バルブＷ１、限流抵抗Ｒ１、タップ巻線ＴＷという回路に流れる。
【０００９】
（Ｃ）切換スイッチＳの動作開始（図４、図５の（Ｃ））
次に、切換スイッチＳの可動接点ＳＣが固定接点ＳＡから固定接点ＳＢ側へと移動を開始する。
【００１０】
（Ｄ）非通電タップ３側の抵抗用バルブＷ２の閉極（図４、図５の（Ｄ））
続いて、切換動作前に通電していないタップ２側の抵抗用バルブＷ２が閉極し、限流抵抗Ｒ２、抵抗用バルブＷ２、抵抗用バルブＷ１、限流抵抗Ｒ１を介して、短絡回路が形成され、ここに循環電流ＩＣが流れる。
【００１１】
また、負荷電流ＩＬは中性点Ｎから、抵抗用バルブＷ１および限流抵抗Ｒ１から成る回路と、抵抗用バルブＷ２および限流抵抗Ｒ２から成る回路に、限流抵抗Ｒ１、Ｒ２の抵抗比に見合って分流する。ここではＲ１=Ｒ２とする。つまり、負荷電流ＩＬは抵抗用バルブＷ１、限流抵抗Ｒ１の回路と抵抗用バルブＷ２、限流抵抗Ｒ２の回路とで２分して流れることになる。
【００１２】
（Ｅ）通電タップ側の抵抗用バルブＷ１の開極（図４、図５の（Ｅ））
さらに、切換動作前に通電しているタップ２側の抵抗用バルブＷ１が開極し、循環電流ＩＣを遮断する。この時、負荷電流ＩＬは、点線のように抵抗用バルブＷ２、限流抵抗Ｒ２、タップ巻線ＴＷという回路に流れる。
【００１３】
（Ｆ）切換スイッチＳの動作完了（図４、図５の（Ｆ））
切換スイッチＳの可動接点ＳＣが固定接点ＳＡから固定接点ＳＢ側への移動を完了する。
【００１４】
（Ｇ）主バルブＨの閉極（図４、図５の（Ｇ））
最後に、主バルブＨが閉極し、負荷電流ＩＬを中性点Ｎから主バルブＨ、切換スイッチＳの可動接点ＳＣ、固定接点ＳＢ、タップ巻線ＴＷという回路に移す。これで、切換動作を完了し、図示の状態で運転を継続する。また、次のタップへの切換動作は図５の（２）に示す（Ｇ）から（Ａ）への順で行われる。
【特許文献１】特願２００７−１５６３３号公報
【発明の開示】
【発明が解決しようとする課題】
【００１５】
ところで、負荷時タップ切換装置に対し系統よりサージ電流が侵入した場合、負荷電流に重畳して、過渡的にゼロ点が来ない直流電流となる。したがって、上記特許文献１記載の負荷時タップ切換装置では、切換動作中に直流電流が流れることがあり、真空バルブである主バルブが直流電流を遮断しなくてはならないといった状況に陥る。しかしながら、真空バルブは通常、交流のゼロ点にて電流を遮断するものなので、直流電流の遮断は非常に困難であり、この点が従来の負荷時タップ切換装置における課題となっていた。
【００１６】
以上の「直流電流の遮断」に関して、図６を用いて詳しく説明する。切換動作前の状態を図６（Ａ）とし、切換動作が開始すると、図６（Ｂ）にて主バルブＨが開極し、重畳電流（直流）ＩＤを遮断しようとする。しかし、真空バルブである主バルブＨは直流電流の遮断が困難なので、これを遮断できないことがある。
【００１７】
続いて、切換スイッチＳの可動接点ＳＣが固定接点ＳＡから離れるが、主バルブＨにて重畳電流（直流）ＩＤを遮断できなければ、図６（Ｃ）に示したように切換スイッチＳでアークａを切ることになる。この結果、切換スイッチＳによる確実な電流遮断といったメリットはあるものの、アークａにより、切換スイッチＳの可動接点ＳＣ、固定接点ＳＡ、ＳＢおよび装置内の絶縁媒体が劣化することは否めない。
【００１８】
しかも、切換スイッチＳによるアークａの遮断を繰り返していけば、絶縁性能が低下するだけではなく、切換スイッチＳでのアークａの遮断性能も低下するので、最悪の場合、図６（Ｆ）に示したように、アークａが固定接点ＳＡから固定接点ＳＢに達してしまい、タップ２、３間の短絡事故に発展するおそれがあった。以上述べたように、従来の負荷時タップ切換装置では、主バルブＨに直流が通電した場合に、主バルブＨによる遮断が困難であり、遮断ミスが発生する可能性があった。
【００１９】
本発明は、上記の問題点を解消するために提案されたものであり、その目的は、主バルブに直流が通電しても遮断ミスの発生を確実に回避でき、優れた絶縁性能と、安定した遮断能力を発揮することが可能な負荷時タップ切換装置を提供することにある。
【課題を解決するための手段】
【００２０】
本発明は、上記の目的を達成するために、タップ巻線のタップと中性点との間に、タップ巻線のタップを選択するタップ選択器と、通電状態の切換を行う切換スイッチとを設置し、前記タップ選択器には２個の可動接触子を設け、前記切換スイッチには複数の固定接点と、これら複数の固定接点のうちの一つと選択的に接離自在な可動接点とを設け、前記タップ選択器の各可動接触子と中性点との間には限流抵抗と抵抗用バルブを直列に接続し、前記限流抵抗と前記タップ選択器の可動接触子との間には前記切換スイッチの複数の固定接点を設け、前記切換スイッチの可動接点と中性点との間には主バルブを接続した２抵抗３バルブ方式の負荷時タップ切換装置であって、切換動作前に通電している通電タップ側に接続された前記抵抗用バルブが閉極状態、切換動作前に通電していない非通電タップ側に接続された前記抵抗用バルブが開極状態にあるとき、まず前記主バルブが開極し、該主バルブの開極後、非通電タップ側の前記抵抗用バルブが閉極し、続いて通電タップ側の前記抵抗用バルブが開極し、その後、前記主バルブが閉極するように構成した負荷時タップ切換装置において、切換動作前に通電していない非通電タップ側の前記抵抗用バルブが閉極してから、前記切換スイッチの可動接点が、切換動作前に接触していた固定接点との電気的接続を開離するように構成したことを特徴としている。
【００２１】
本発明では、切換動作前に通電している通電タップ側の抵抗用バルブが閉極、切換動作前に通電していない非通電タップ側の抵抗用バルブが開極という状態で、非通電タップ側の抵抗用バルブが閉極することで、短絡回路が形成されるため、循環電流が流れる。このとき、サージ電流の侵入により主バルブに直流電流が流れていたとすると、循環電流は交流電源なので、直流電流と循環電流とが重畳することで、主バルブの通過電流に交流のゼロ点が生じる。つまり、主バルブは、開極動作の開始時には直流電流が流れていて、その遮断が困難であったとしても、非通電タップ側の抵抗用バルブの閉極により生じる循環電流と直流電流が重畳することでゼロ点を迎えることができ、この時点で電流を確実に遮断することが可能となる。
【００２２】
さらに、本発明にはおいては、非通電タップ側の抵抗用バルブが閉極してから、切換スイッチの可動接点と固定接点とが開離するので、この開離動作が行われる時には、主バルブによって電流は遮断されている。すなわち、切換スイッチにてアークを遮断するという事態を招くことがない。したがって、切換スイッチは優れた絶縁性能・遮断性能を維持することができ、タップ間の短絡事故が起きる心配もない。
【発明の効果】
【００２３】
本発明の負荷時タップ切換装置によれば、切換動作中に真空バルブである主バルブに直流が流れていたとしても、非通電タップ側の抵抗用バルブが閉極することで、交流電源である循環電流を直流電流と重畳させて交流のゼロ点を生じさせることができ、遮断ミスを発生させることなく、且つ切換スイッチによるアーク遮断も回避できるため、遮断能力の安定化及び絶縁信頼性の向上を図ることができた。
【発明を実施するための最良の形態】
【００２４】
以下、本発明に係る代表的な実施形態について、図１〜図３を参照して、具体的に説明する。図１、図３は、本発明に係る実施形態の切換回路図および動作図を示しており、図４にて示した従来技術と同一部分に関しては同一符号を付して説明は省略する。また、図２は、図１に対応して本発明に係る実施形態の切換シーケンスを示すものである。
【００２５】
（１）構成
本発明に係る代表的な実施形態について、図１及び図２を参照して説明する。図１は第１の実施形態である負荷時タップ切換装置の切換回路および動作図、図２はその切換シーケンスを示している。
【００２６】
本実施形態は、次の点に構成上の特徴がある。すなわち、切換動作前に通電していない非通電タップ側の抵抗用バルブＷ１又はＷ２が閉極した後で、切換スイッチＳの可動接点ＳＣが、切換動作前に接触していた固定接点ＳＡ又はＳＢとの電気的接続を開離するようになっている。
【００２７】
まず、タップ２側で通電し、切換スイッチＳでは可動接点ＳＣと固定接点ＳＡとが電気的に接続している場合を例にとって説明する。切換動作前に通電しているタップ２側の抵抗用バルブＷ１が閉極、切換動作前に通電していないタップ３側の抵抗用バルブＷ２が開極の状態で、主バルブＨが開極する。そして、主バルブＨが開極した後で、切換動作前に通電しているタップ２側の抵抗用バルブＷ１が閉極状態のまま、切換動作前に通電していないタップ３側の抵抗用バルブＷ２が閉極する。その後、切換スイッチＳの可動接点ＳＣが動作を開始し、切換動作前に接触していた固定接点ＳＡとの電気的接続を開離するように構成している。
【００２８】
一方、タップ３側で通電し、切換スイッチＳでは可動接点ＳＣと固定接点ＳＡとが電気的に接続している場合には、切換動作前に通電しているタップ３側の抵抗用バルブＷ２が閉極、切換動作前に通電していないタップ２側の抵抗用バルブＷ１が開極状態であり、この状態から主バルブＨが開極する。そして、主バルブＨが開極した後、切換動作前に通電しているタップ３側の抵抗用バルブＷ２が閉極を維持し、切換動作前に通電していないタップ２側の抵抗用バルブＷ１が閉極する。その後、切換スイッチＳの可動接点ＳＣが動作を開始し、切換動作前に接触していた固定接点ＳＢとの電気的接続を開離するように構成している。
【００２９】
なお、本実施形態では、抵抗用バルブＷ１又はＷ２が閉極してから、切換スイッチＳの可動接点ＳＣが固定接点ＳＡ又はＳＢとの電気的接続を開離するまでの時間を、通電する交流電源の１／２サイクル以上（たとえば、５０Ｈｚの場合では、１０ｍｓ以上）に設定している。
【００３０】
（２）切換シーケンス
以上の構成を有する本実施形態の切換シーケンスについて、図１の（Ａ）〜（Ｇ）で示した切換過程に従い、順を追って説明する。図１の（Ａ）〜（Ｇ）は、図２（１）に（Ａ）〜（Ｆ）で示した切換過程を示したものである。なお、本実施形態の切換シーケンスは、上記特許文献１に記載の負荷時タップ切換装置の切換シーケンスにおける（Ｃ）と（Ｄ）を入れ替えたものであり、それ以外に関しては同様である。
【００３１】
（Ａ）運転状態（図１、図２の（Ａ））
主バルブＨおよび抵抗用バルブＷ１は閉極し、切換スイッチＳの可動接点ＳＣが固定接点ＳＡに接続され、タップ選択器の可動接触子Ｍ１がタップ巻線ＴＷのタップ２に接続された運転状態を示す。このとき、負荷電流ＩＬは、点線のように中性点Ｎから主バルブＨ、切換スイッチＳの可動接触子ＳＣ、固定接点ＳＡ、可動接触子Ｍ１、タップ２、タップ巻線ＴＷという回路に流れる。
【００３２】
（Ｂ）主バルブＨの開極（図１、図２の（Ｂ））
上記（Ａ）の状態から切換動作が開始すると、まず主バルブＨが開く。これにより、負荷電流ＩＬは、点線のように抵抗用バルブＷ１、限流抵抗Ｒ１、タップ巻線ＴＷという回路に流れる。
【００３３】
（Ｃ）非通電タップ３側の抵抗用バルブＷ２の閉極（図１、図２の（Ｃ））
続いて、切換動作前に通電していないタップ２側の抵抗用バルブＷ２が閉極し、限流抵抗Ｒ２、抵抗用バルブＷ２、抵抗用バルブＷ１、限流抵抗Ｒ１を介して、短絡回路が形成され、ここに循環電流ＩＣが流れる。
【００３４】
また、負荷電流ＩＬは中性点Ｎから、抵抗用バルブＷ１および限流抵抗Ｒ１から成る回路と、抵抗用バルブＷ２および限流抵抗Ｒ２から成る回路に、限流抵抗Ｒ１、Ｒ２の抵抗比に見合って分流する。ここではＲ１=Ｒ２とする。つまり、負荷電流ＩＬは抵抗用バルブＷ１、限流抵抗Ｒ１の回路と抵抗用バルブＷ２、限流抵抗Ｒ２の回路とで２分して流れることになる。
【００３５】
（Ｄ）切換スイッチＳの動作開始（図１、図２の（Ｄ））
次に、切換スイッチＳの可動接点ＳＣが固定接点ＳＡから固定接点ＳＢ側へと移動を開始する。既に述べたように、前記（Ｃ）と（Ｄ）の切換シーケンスが本実施形態の特徴である。
【００３６】
（Ｅ）通電タップ側の抵抗用バルブＷ１の開極（図１、図２の（Ｅ））
さらに、切換動作前に通電しているタップ２側の抵抗用バルブＷ１が開極し、循環電流ＩＣを遮断する。この時、負荷電流ＩＬは、点線のように抵抗用バルブＷ２、限流抵抗Ｒ２、タップ巻線ＴＷという回路に流れる。
【００３７】
（Ｆ）切換スイッチＳの動作完了（図１、図２の（Ｆ））
切換スイッチＳの可動接点ＳＣが固定接点ＳＡから固定接点ＳＢ側への移動を完了する。
【００３８】
（Ｇ）主バルブＨの閉極（図１、図２の（Ｇ））
最後に、主バルブＨが閉極し、負荷電流ＩＬを中性点Ｎから主バルブＨ、切換スイッチＳの可動接点ＳＣ、固定接点ＳＢ、タップ巻線ＴＷという回路に移す。これで、切換動作を完了し、図示の状態で運転を継続する。また、次のタップへの切換動作は図２の（２）に示す（Ｇ）から（Ａ）への順で行われる。
【００３９】
（３）作用効果
以上のような切換シーケンスを有する本実施形態では、系統へのサージの侵入などにより重畳電流ＩＤが直流となった場合に、次のような作用効果を発揮することができる。ここでは、切換動作前の状態を図３（Ａ）とする。すなわち、主バルブＨおよび抵抗用バルブＷ１は閉極し、切換スイッチＳの可動接点ＳＣが固定接点ＳＡに接続され、タップ選択器の可動接触子Ｍ１がタップ巻線ＴＷのタップ２に接続されている。この状態から切換動作を開始すると、図３（Ｂ）にて主バルブＨが開極し、重畳電流（直流）ＩＤを遮断しようとする。ところが、主バルブＨは真空バルブであるため、これを遮断することができない。
【００４０】
次に、抵抗用バルブＷ２が閉極し、限流抵抗Ｒ２、抵抗用バルブＷ２、主バルブＨを介して、短絡回路が形成されるで、循環電流ＩＣが流れる（図３（Ｃ））。このとき、循環電流ＩＣは交流電源なので、直流電流ＩＤと循環電流ＩＣが重畳することにより、主バルブＨの通過電流にゼロ点を生じさせることができる。したがって、主バルブＨは通過電流を確実に遮断することが可能となる。
【００４１】
図３（Ｄ）では、切換スイッチＳの可動接点ＳＣが固定接点ＳＡから離れるが、この時点では主バルブＨにおける電流は遮断されているので、切換スイッチＳはアークａを切ることがない。本実施形態では、抵抗用バルブＷ２の閉極から、切換スイッチＳの可動接点ＳＣが固定接点ＳＡとの電気的接続を開離するまで、通電する交流電源の１／２サイクル以上に設定したので、循環電流ＩＣと直流電流ＩＤが重畳した電流のゼロ点を必ず迎えることができる。なお、切換動作前の状態が、切換スイッチＳの可動接点ＳＣが固定接点ＳＢに接続され、タップ選択器の可動接触子Ｍ２がタップ巻線ＴＷのタップ３に接続されている場合であっても、同様の作用効果を得られることは言うまでもない。
【００４２】
以上述べたように、本実施形態によれば、切換動作中、主バルブＨに直流が通電した場合でも、開極した接点において、通電電源のゼロ点を確実に迎えることができるため、遮断ミスを発生させることなく、主バルブは安定した遮断能力を確保することができる。
また、切換スイッチＳの可動接点ＳＣが固定接点ＳＡ又はＳＢと開離する時には、主バルブＨにより電流は既に遮断されているため、切換スイッチＳにてアークを遮断しなくて済む。したがって、アークａ遮断による絶縁性能及び遮断性能の低下を防ぐことができ、タップ間短絡事故が起きる心配もない。
【００４３】
（４）他の実施形態
なお、本発明は上記の実施形態に限定されるものではなく、各部の構成や形状、配置箇所や配置数などは適宜変更可能であり、例えば、限流抵抗と抵抗用バルブとの間に放電ギャップや非線形抵抗器などの過電圧保護器を挿入することで、より高い安全性を備えた負荷時タップ切換装置も包含する。
【図面の簡単な説明】
【００４４】
【図１】本発明に係る代表的な実施形態の切換回路および動作図。
【図２】図１に示した本実施形態の切換シーケンス図。
【図３】代表的な実施形態において主バルブに直流電流が通過した場合の動作図。
【図４】従来の負荷時タップ切換装置における切換回路および動作図。
【図５】図４の負荷時タップ切換装置における切換シーケンス図。
【図６】図４の負荷時タップ切換装置において主バルブに直流電流が通過した場合の動作図。
【符号の説明】
【００４５】
２、３…タップ巻線のタップ
Ｈ…主バルブ
Ｗ１、Ｗ２…抵抗用バルブ
ＩＣ…循環電流
ＩＤ…重畳電流（直流）
ＩＬ…負荷電流
Ｍ１、Ｍ２…タップ選択器の可動接触子
Ｎ…中性点
Ｒ１、Ｒ２…限流抵抗
Ｓ…切換スイッチ
ＳＡ、ＳＢ…切換スイッチの固定接点
ＳＣ…切換スイッチの可動接点
ＴＷ…タップ巻線
ＵＳ…タップ間ステップ電圧 
【図１】
2009290005.tif 000003
【図２】
2009290005.tif 000004
【図３】
2009290005.tif 000005
【図４】
2009290005.tif 000006
【図５】
2009290005.tif 000007
【図６】
2009290005.tif 000008